(57)【要約】      （修正有）【課題】美観性が向上し、国内外市場を拡大させるリブ編みの五本指ソックスの提供。【解決手段】横編みの平編針で織られた爪先の五本指部分及びリブ編みのソックス筒状部、リブ編みのゴム履き口を含み、その縫合が、縫合糸を突き合わて織る合成手段を採用し、リンキング織りをする。抗菌脱臭、水虫の防止という特有の功能を有するだけではなく、リブ編みのソックスによる優良な靴下の口ゴム弾性を有する張力を兼備え、ソックス筒状部の締付け力が良好で、脚形に応じて、脚部を締付け可能で、ずり落ちを防止して、好ましい着用感を増加して、ソックス筒状部は、無地のベルベット、刺繍、凹凸のジャカ-ドの柄、横の紋様パターンによる拡大をしたソックス。【選択図】図１
0003129785.tif 000002
【実用新案登録請求の範囲】
【請求項１】
リブ編みのゴム履き口（１）、リブ編みのソックス筒状部（２）、横編みの爪先五本指部分（３）を含み、横編みの爪先五本指部分（３）とリブ編みのソックス筒状部（２）とリブ編みのゴム履き口（１）との縫合部分が縫合糸（４）で連接することを特徴とするリブ編みと横編みリンキング合成五本指ソックス。
【請求項２】
縫合糸（４）は同色の糸を表糸として、同色の弾性絹糸を地糸とすることを特徴とする請求項１に記載のリブ編みの五本指ソックス。
【請求項３】
ソックス筒状部（２）は、無地のベルベット、刺繍、凹凸のジャカードの織り方、横の紋様パターン中から一つ、二つ又は二つ以上を選択できることを特徴とする請求項１又は２に記載のリブ編みの五本指ソックス。
【考案の詳細な説明】
【技術分野】
【０００１】
本考案は、合成技術によって、特にリブの五本指ソックスに関しており、五本指ソックスの応用に、さまざまな様式パターンを提供することである。
【背景技術】
【０００２】
国内外の五本指ソックスにおいて種々の欠点が存在している。五本指部分は独立で織る必要があるため、平編針による編みかたのみを採用しており、爪先から靴下の方向へ編んでいく。ソックスの履き口は、ゴム編みになっているが、糸口は弛みが生じやすいため、二重編みにソックスの履き口を織ってスクイすることが一般的である。しかし二重編みスクイのゴム部は、そのソックス履き口が非常に厚く、張力がとてもきつくなる。締付け力が強くないと落ちやすく、着用中の不快感が日常生活を不快にする。しかももっと上品なソックスを編むことができないため、使用範囲が狭くなる。
【考案の開示】
【考案が解決しようとする課題】
【０００３】
本考案の目的は前記の欠点を克服することである。足指末端の血の流れを改善すること等保健機能を有し、しかも弾力性が良好なソックスの口ゴム、締付け力が強いソックス筒状部を有するリブ編み五本指ソックスを設計することである。
【課題を解決するための手段】
【０００４】
本考案は、五本指の織物において爪先は横編み、爪先以外はリブ編みによる別々の編み方である。ソックスの履き口は、良好な弾性を有しており、２種類の編み機を採用して織る。リブ編みのゴム編み部の織り方は、ソックスの履き口から織ることで、異なる二種類の織り方になる。本考案の製品は、異なる二種類の織り機が必要で、同じ織り機で織ることができない。
【０００５】
本考案は、ダブルシリンダ編み機である双針筒状ソックス編み機で編まれた、リブ編みのゴム履き口、ソックス筒状部を含み、更に横編みの平編針編機の五本指ソックス編機で編まれた爪先の五本指部分を含み、横編みの平編針で編まれた爪先の五本指部分とリブ編みのソックス筒状部及びゴム履き口の縫合部が縫合糸で突き合わせて織る合成手段を採用し、リブ編みのソックス筒状部と横編み爪先の五本指部分を連接して織り、縫合糸は同色の糸を使用し、同色の弾性絹糸を地糸として、ソックス筒状部は、無地のベルベット、刺繍、凹凸のジャカ-ドの柄、横の紋様パターン中の一つであることを特徴とする五本指ソックスを提供する。
【考案の効果】
【０００６】
当該技術を実施による明らかな効果は、抗菌脱臭、水虫の防止という特有の効能を有するだけではなく、リブ編みのソックスによる優良な靴下の挿入口弾性を有する張力を兼ね備えて、ソックス筒状部の締付け力が良好で、脚形に応じて、脚部を締付けでずり落ちを防止し、好ましい着用感を増加する。ソックス筒状部は、無地のベルベット、刺繍、凹凸のジャカ-ドの柄、横の紋様パターンによる拡大によって、ソックスの美観性を向上することができる。
【考案を実施するための最良の形態】
【０００７】
以下は図面を参照して、リブ編みのゴム履き口を例として、本考案について説明する。図１において、上部は、リブ編みのゴム履き口１及びリブ編みのソックス筒状部２を一体として形成し、下部は、横編みの平編針によって編まれたソックスの五本指部分３であって、編目の縫合糸４によって二つを縫合し、リブ編みと横編みリンキング合成五本指ソックスが形成される。
【０００８】
図１において、同じな本数の糸使いで、それぞれリブ編みでゴム履き口１とソックス筒状部２、横編み機でソックスの五本指３を作る。美観に対して、ソックス筒状部２とソックスの五本指３の織り密度が必ず同じで、そして織物の編目を丸筒状の編み機の編み針に覆わせて、縫合糸４で突き合わせて織る合成手段によって、ソックスの五本指３とリブ編みのソックス筒状部２を連接して織り、縫合糸４はソックスの同色の糸を表糸として、同色の弾性絹糸を地糸として、編目織りのために、異る表糸と地糸を採用する。これによって、十分に織る張力を調整できるため、織る糸の延伸値をソックス筒状部と同じくさせることができ、糸が完全に滑かであり、及びソックスの成型美観を保証する。
【０００９】
下記は本考案の実施例であって：
具体の合成ステップは３２S糸使用を例として説明する。
原料：
ソックス筒状部２：  ３２Sｘ３綿糸＋３０/７５FTY；
ゴム履き口：  １００＃ｘ１；
縫合糸４：  表糸３２S/２ｘ１  同色糸、表糸  １５０D/２ｘ１弾力横編みの糸；
五本指部分３の編み機；横編みの平編針の五本指ソックス機；
靴下の挿入口１、ソックス筒状部２の編み機；リブ編みのソックス編み機。
【００１０】
ステップ１：３２S糸クリを表糸として、３０７５ｘ１アンモニアの包覆絹を地糸として、双針筒状ソックス筒状部の編み機で、靴下の挿入口１を作り、そしてゴム糸を入れて、ソックス筒状部２を織ることを、五本指ソックス機で別々行なう。ソックス筒状部（２）は、無地のベルベット、刺繍、凹凸のジャカ-ドの織り方、横の紋様パターン中から一つ、二つ又は二つ以上を選択できる。
ステップ２：ソックス筒状部及びソックスの五本指３を丸筒状の編み機に覆わせて、縫合糸４は、３２S/２ｘ１糸を表糸として、１５０D/２ｘ１の弾性絹糸を地糸として、編目を織る。
ステップ３：織りの検査と定型加工。
【産業上の利用可能性】
【００１１】
国内外市場で初めての異なっている二種の織り方を合成させた五本指ソックスである。国内外市場を拡大させ、経済利益及び社会利益が増進する。
【図面の簡単な説明】
【００１２】
【図１】本考案にかかる第一の実施例の組合せ外観図である。
【符号の説明】
【００１３】
１リブ編みのゴム履き口
２リブ編みのソックス筒状部
３横編みの平編針で編まれるソックスの五本指部分
４縫合糸
【図１】
0003129785.tif 000003
【手続補正書】
【提出日】平成18年12月21日(2006.12.21)
【手続補正１】
【補正対象書類名】実用新案登録請求の範囲
【補正対象項目名】全文
【補正方法】変更
【補正の内容】
【実用新案登録請求の範囲】
【請求項１】
リブ編みのゴム履き口（１）、リブ編みのソックス筒状部（２）、横編みの爪先五本指部分（３）を含み、横編みの爪先五本指部分（３）とリブ編みのソックス筒状部（２）とリブ編みのゴム履き口（１）との縫合部分が縫合糸（４）で連接することを特徴とするリブ編みと横編みリンキング合成五本指ソックス。
【請求項２】
縫合糸（４）は同色の糸を表糸として、同色の弾性絹糸を地糸とすることを特徴とする請求項１に記載のリブ編みと横編みリンキング合成五本指ソックス。
【請求項３】
ソックス筒状部（２）は、無地のベルベット、刺繍、凹凸のジャカードの織り方、横の紋様パターン中から一つ、二つ又は二つ以上を選択できることを特徴とする請求項１又は２に記載のリブ編みと横編みリンキング合成五本指ソックス。